(57)【要約】      （修正有）【課題】導熱層と放熱チップの熱伝導の方向が同じになるように形成されたファンを提供する。【解決手段】導熱層２と、放熱チップ３とを含んでなり、導熱層が、長方形を呈し、中央に熱源に接続するエリアを具えてなり、その周囲の空間に対流孔を等間隔に排列して設けてなり、それぞれの対流孔２１がいずれも楕円形で、導熱層の長手方向の辺と平行な方向に設けられ、放熱チップが、片状で排列し、導熱層の下方に貼着して設けられ、その長さが導熱層の長手方向の辺と同じで、導熱層の長手方向の辺と平行な方向に設けられる。【選択図】図３
0003169419.tif 000002
【実用新案登録請求の範囲】
【請求項１】
導熱層と、放熱チップとを含んでなり、
該導熱層が、長方形を呈し、中央に熱源に接続するエリアを具えてなり、その周囲の空間に対流孔を等間隔に排列して設けてなり、それぞれの対流孔がいずれも楕円形で、導熱層の長手方向の辺と平行な方向に設けられ、
該放熱チップが、片状で排列し、導熱層の下方に貼着して設けられ、その長さが導熱層の長手方向の辺と同じで、導熱層の長手方向の辺と平行な方向に設けられることを特徴とするファン。
【考案の詳細な説明】
【技術分野】
【０００１】
この考案は、ファンに関し、特にコンピュータなどの電気機器で発生した熱を放熱するファンに関する。
【背景技術】
【０００２】
従来のアルミを成型した放熱片１は図１に開示するように、導熱層２と、放熱チップ３とを組み合わせて形成する。
【０００３】
導熱層２は、熱を伝えるために供し、放熱チップ３は放熱するために供する。
【０００４】
該導熱層２は長方形を呈し、中央に熱源２０に接続するエリアを具えてなり、その周囲の空間に対流孔２１が等間隔で排列して設けられる。
【０００５】
それぞれの対流孔はいずれも楕円形に形成され、導熱層２の長手方向に垂直な短い辺と平行に設けられる。
【０００６】
放熱チップ３は、片状で排列して設けられ、導熱層２の下に貼着し、長さが導熱層２の長手方向の辺と同じに形成される。
【０００７】
よって、放熱チップ３の設置方向と導熱層２の長手方向の辺とが平行になり、即ち、放熱チップ３の設置方向と対流孔２１の開口の方向とは一致しない。
【０００８】
上述のファンは、様々な電子関連製品に幅広く応用された。導熱層の熱の伝導を利用し、放熱チップの放熱作用とを合わせることによりすばやく熱を放熱する。
【０００９】
上述のファンは、導熱層上に複数の対流孔が等間隔に排列して設けられ、空気の対流を介して、熱の伝導をすばやく実施し、その作用を高めることができる。
【００１０】
しかしながら、それぞれの対流孔の開口の方向が下方に貼着した片状の放熱チップの方向と一致していないため、導熱層と放熱チップとの接続面とを遮り、導熱層が中断された状態になる。
【００１１】
よって、導熱層が熱を伝導する過程で中央の熱源から両側と下方の放熱チップへすばやく熱を伝導することができず、放熱の効果、効率に影響を与える。
【考案の開示】
【考案が解決しようとする課題】
【００１２】
この考案は、導熱層と放熱チップの熱伝導の方向が同じになるように形成されたファンを提供することを課題とする。
【課題を解決するための手段】
【００１３】
そこで本考案者は、導熱層と、放熱チップとを含んでなり、該導熱層が、長方形を呈し、中央に熱源に接続するエリアを具えてなり、その周囲の空間に対流孔を等間隔に排列して設けてなり、それぞれの対流孔がいずれも楕円形で、導熱層の長手方向の辺と平行な方向に設けられ、
該放熱チップが、片状で排列し、導熱層の下方に貼着して設けられ、その長さが導熱層の長手方向の辺と同じで、導熱層の長手方向の辺と平行な方向に設けられるファンによって課題を解決できる点に着眼し、係る知見に基づき本考案を完成させた。
以下、この考案について具体的に説明する。
【００１４】
請求項１に記載するファンは、導熱層と、放熱チップとを含んでなり、
該導熱層が、長方形を呈し、中央に熱源に接続するエリアを具えてなり、その周囲の空間に対流孔を等間隔に排列して設けてなり、それぞれの対流孔がいずれも楕円形で、導熱層の長手方向の辺と平行な方向に設けられ。
該放熱チップが、片状で排列し、導熱層の下方に貼着して設けられ、その長さが導熱層の長手方向の辺と同じで、導熱層の長手方向の辺と平行な方向に設けられる。
【考案の効果】
【００１５】
この考案のファンは、導熱層と、放熱チップとの熱伝導の方向が同じであるため有効に、すばやく熱を放熱して実用的であるという効果を有する。
【図面の簡単な説明】
【００１６】
【図１】従来のファンと従来のファンの熱の伝導方向を示した説明図である。
【図２】従来のファンの一部を示した部分拡大図である。
【図３】この考案のファンと該ファンの熱の伝導方向を示した説明図である。
【図４】図３に開示するファンの一部を示した部分拡大図である。
【考案を実施するための形態】
【００１７】
この考案は、導熱層と放熱チップの熱伝導の方向が同じになるように形成されたファンであって、導熱層と、放熱チップとを含んでなり、
該導熱層が、長方形を呈し、中央に熱源に接続するエリアを具えてなり、その周囲の空間に対流孔を等間隔に排列して設けてなり、それぞれの対流孔がいずれも楕円形で、導熱層の長手方向の辺と平行な方向に設けられ、
該放熱チップが、片状で排列し、導熱層の下方に貼着して設けられ、その長さが導熱層の長手方向の辺と同じで、導熱層の長手方向の辺と平行な方向に設けられる。
【実施例】
【００１８】
図３、図４は、この考案のファンを示した説明図である。
【００１９】
図３に開示するように、ファン１は、導熱層２と、放熱チップ３と、を組み合わせてなる。
【００２０】
該導熱層２は、長方形を呈し、中央に熱源２０に接続するエリアを具えてなり、その周囲の空間に対流孔２１を等間隔に排列して設ける。
【００２１】
それぞれの対流孔２１はいずれも、楕円形で、導熱層２の長手方向の辺と平行な方向に設けられる。
【００２２】
該放熱チップ３は、片状で、排列して設けられ、導熱層２の下方に貼着する。その長さは導熱層２の長手方向の辺と同じに形成され、導熱層２の長手方向の辺と平行な方向に設けられる。
【００２３】
上述のユニットを組み合わせて形成し、図４に開示するように、導熱層２上に設けられた対流穴２１の開口の方向と下方に貼着した片状の放熱チップ３との設置方向が一致する。
【００２４】
よって、使用上、熱源２０の予め設けられる位置が導熱層２の中央であるため、熱が自然と中央から外側に向けて伝導した後、下方に向けて伝導される。
【００２５】
導熱層２の熱の伝導面積上に設けられた複数の対流孔２１の開口の方向が熱の伝導方向と同じであるため、伝導面が中断されることがなく、熱の伝導にも影響がない。
【００２６】
また、導熱層２下方の放熱チップ３が片状で対流孔２１の開口の方向と同じに設けられるため、放熱面積が中断されることがなく、熱の伝導と放熱の作用をいずれも確実に高めることができる。
【００２７】
この考案のファンは有効に熱を伝導し、優れた放熱効果を備えてなるため、実用的で多目的に実用できる価値を具えている。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【符号の説明】
【００２９】
１      ファン
２      導熱層
２０    熱源
２１    対流孔
３      放熱チップ
【図１】
0003169419.tif 000003
【図２】
0003169419.tif 000004
【図３】
0003169419.tif 000005
【図４】
0003169419.tif 000006